(57)【要約】【課題】車両用コントロールパネルにおいて、簡便な構造によって誤操作を抑制する。【解決手段】基体部に設けられ、制御状況を表示する表示器２１と、表示器２１に隣接して設けられる複数のプッシュボタン１３，１４，１５と、を含む車両用コントロールパネルであって、表示器２１の表面に設けられる透光性樹脂の表面保護板２３に表面保護板２３と一体に樹脂成形され、表面保護板２３からプッシュボタン１３と１４との間及びプッシュボタン１４と１５との間に延びる仕切りリブ２３ａを備える。仕切りリブ２３ａは透光層２３ｄと有色層２３ｅとを備える２色成形とする。【選択図】図４
2008132916.tif 000002
【特許請求の範囲】
【請求項１】
基体部に設けられ、制御状況を表示する表示器と、
前記表示器に隣接して設けられる複数のプッシュボタンと、
を含む車両用コントロールパネルであって、
前記表示器の表面に設けられる透光性樹脂の表示器表面保護板は、前記表示器表面保護板と一体に樹脂成形され、前記表示器表面保護板から前記各プッシュボタン相互の間に延びる仕切りリブを備えること
を特徴とする車両用コントロールパネル。
【請求項２】
請求項１に記載の車両用コントロールパネルであって、
前記仕切りリブは隣接する各プッシュボタンの表面と同色の有色層と透光性の透光層の２色成形によって構成されていること
を特徴とする車両用コントロールパネル。
【発明の詳細な説明】
【技術分野】
【０００１】
本発明は、車両用コントロールパネル構造に関する。
【背景技術】
【０００２】
車両用のヒータコントロールパネル、オーディオコントロールパネルなどの操作パネルには複数のプッシュスイッチをその意匠面に配置したものが用いられている。このような操作パネルに用いられるプッシュスイッチのプッシュボタンには、プッシュボタンの一側面を弾性部材によって意匠面の裏側に取り付けて、その弾性部材をヒンジとしてプッシュボタンが回転できるようにしたものがある。このようなプッシュボタンには、その意匠面側を押されると、押し込み力によって弾性部材の固定部を中心に回転し、プッシュボタンの裏面に取り付けられた突起がタクトスイッチを押し下げて回路が接続され、プッシュボタンから指を離すと、弾性部材の弾性力によって固定部を中心にプッシュボタンが回転して意匠面側に押しもどされ、プッシュボタン裏面の突起がタクトスイッチから離れて回路が切断されるように構成されているものがある（例えば、特許文献１参照）。また、特許文献１にはプッシュボタンの対向する側面に弾性部材を配置して、意匠面側を押し込まれた際に、プッシュボタンが意匠面に対して垂直に移動するようにしたものも提案されている。
【０００３】
上記の特許文献１に開示された従来技術のプッシュスイッチでは、プッシュボタンを隣接して並べようとするとヒンジを構成している弾性部材が邪魔になるために、プッシュボタンの間隔をあけて配置することが必要であった。このためプッシュボタンを近接して配置することができず、操作パネルが大きくなってしまうという問題があった。また、意匠面のデザインが制約されてしまうという問題があった。
【０００４】
これを解決するために、図５に示すように、プッシュボタン１２２に設けたスカートをホルダ１２１の意匠面側に設けられた壁１２６，１２７に嵌め込んでプッシュボタン１２２をホルダ１２１の壁１２６，１２７に沿って移動することができるように構成し、ホルダ１２１の壁１２６，１２７のプッシュボタン１２２と反対側にホルダ１２１と一体に構成され、一端に構成されたヒンジ１２３の回りに回転してホルダ内部のプッシュスイッチを押し下げるような回転部材１２４を備えた多連プッシュスイッチが提案されている（例えば、特許文献２参照）。この、特許文献２に記された従来技術では、ヒンジ１２３を持つ回転部材１２４はホルダ１２１内部に組み込まれているので隣接するプッシュボタン１２２と回転部材１２４とが干渉することが無く、プッシュボタン１２２相互を近接して配置することができる。
【０００５】
【特許文献１】特開平１１−１２０８６２号公報
【特許文献２】特開２００２−１５０８７２号公報
【発明の開示】
【発明が解決しようとする課題】
【０００６】
しかし、特許文献２に記載された従来技術では、プッシュボタン１２２が近接配置されていることから、１つのプッシュボタン１２２を押す際に、隣接する他のプッシュボタン１２２を同時に押し下げてしまうという誤操作が発生する場合があった。
【０００７】
一方、車両の室内温度のコントロールは車両の各部に搭乗している各乗員の各位置に対して細かく行われることが要求されてきている。また、その温度制御についても制御目標温度や現在温度などの制御状況の表示をすることが要求されている。このため、操作パネルのプッシュボタンの数が多くなると共に、制御状況を表示する表示器のスペースが必要となり、操作パネルが大型化するという問題があった。また、車両用操作パネルはその構造が簡便であることが要求されている。
【０００８】
本発明は、簡便な構造によって誤操作を抑制することができる操作パネルを提供することを目的とする。
【課題を解決するための手段】
【０００９】
本発明に係る車両用コントロールパネルは、基体部に設けられ、制御状況を表示する表示器と、前記表示器に隣接して設けられる複数のプッシュボタンと、を含む車両用コントロールパネルであって、前記表示器の表面に設けられる透光性樹脂の表示器表面保護板は、前記表示器表面保護板と一体に樹脂成形され、前記表示器表面保護板から前記各プッシュボタン相互の間に延びる仕切りリブを備えることを特徴とする。また、本発明に係る車両用コントロールパネルは、前記仕切りリブは隣接する各プッシュボタンの表面と同色の有色層と透光性の透光層の２色成形によって構成されていることとしても好適である。
【発明の効果】
【００１０】
本発明に係る操作パネルは、簡便な構造によって誤操作を抑制することができるという効果を奏する。
【発明を実施するための最良の形態】
【００１１】
以下、図面を参照しながら本発明の好適な実施形態について説明する。図１は本発明の実施形態である車両用のヒータコントロールパネル１０の意匠面１１の平面を示す。意匠面１１は車両にヒータコントロールパネル１０が組みつけられた際に、乗員の側に向く面であり、乗員が操作する操作ボタンや、制御状況などが表示される面となっている。
【００１２】
図１に示すように、本実施形態の意匠面１１は、意匠デザイン上、意匠面パネル１１ａの上部と下部に対向して五角形のプッシュボタン領域を配置し、その各頂点部を共通部分とし、この共通部分に円環形フレーム１８によって仕切られた円形プッシュボタン領域を配置している。上部のプッシュボタン領域の中央には室温などの制御状況を表示する表示器２１が設けられている。表示器２１は液晶の表示器で、室温などの制御状況をデジタル表示するものであるが、表示器２１はこれに限られず、メータなどのアナログ表示のものであってもよい。表示器２１は表面には、例えば透明又は半透明の透光性のある表面保護板２３が取り付けられ表示器２１の表面を保護するようになっている。表示器２１の周囲には隣接して操作用の複数のプッシュボタン１３〜１７が設けられている。下部のプッシュボタン領域は上部のプッシュボタン領域よりも小さい領域となっており、中央には簡単なインジケータ部２０ｃが配置され、このインジケータ部２０ｃの両側にプッシュボタン２０ａ，２０ｂが配置されている。
【００１３】
円環形フレーム１８によって仕切られた円形プッシュボタン領域には、プッシュボタン１９ａ〜１９ｇが配置されている。図１に示すように、プッシュボタン１９ａ〜１９ｅは円環形フレームに隣接して放射状に配置され、プッシュボタン１９ｆ，１９ｇは円環形のフレーム１８の中央部に配置されている。
【００１４】
上部のプッシュボタン領域の上部の両側に配置されたプッシュボタン１３，１５は共に室内温度の設定を行うシーソー式のプッシュスイッチ用プッシュボタンで、上向きの矢印の部分を押すと各設定温度が上昇し、下向きの矢印の部分を押すと各設定温度が低下するような機能を持っている。そして、その設定温度は各プッシュボタン１３，１５の間に配置された表示器２１によって表示されるように構成されている。プッシュボタン１３，１５の下側に隣接して配置されたプッシュボタン１６，１７は車室内の空調空気の噴出しを前席側と後席側の両方に吹き出すか、後席側のみに吹き出すかを選択するプッシュボタンである。上部のプッシュボタン１３とプッシュボタン１５との間には非常停車時に点灯させるハザードランプのオンオフスイッチ用のプッシュボタン１４が配置されている。プッシュボタン１４とプッシュボタン１３との間及びプッシュボタン１４とプッシュボタン１５との間には、プッシュボタン１４とその両側にあるプッシュボタン１３又はプッシュボタン１５を同時に押してしまうことが無いように、表面保護板２３からプッシュボタン１３とプッシュボタン１４との間及びプッシュボタン１４とプッシュボタン１５との間に延びた仕切りリブ２３ａが設けられている。
【００１５】
円環形フレーム１８によって仕切られた円形プッシュボタン領域の表示器２１側には風量を増減するシーソー式のプッシュスイッチ用プッシュボタン１９ａが配置されている。このプッシュボタン１９ａの矢印の部分を押すことによって空調の風量を増減させることができ、その風量の制御状態は表示器２１によって表示されるように構成されている。円形プッシュボタン領域にはその他に空調のモード切換えスイッチのプッシュボタン１９ｂ、フロント、リヤのデフロスタのオンオフスイッチ用のプッシュボタン１９ｃ，１９ｄなどが配置されている。
【００１６】
下部のプッシュボタン領域の両側に配置されたプッシュボタン２０ａ，２０ｂはクーラーのオンオフスイッチと空気清浄機のオンオフスイッチ用であり、空気清浄機の動作の状態はインジケータ部２０ｃに配置されたインジケータによって表示されるようになっている。
【００１７】
図２はヒータコントロールパネル１０の図１に示したＡ−Ａの断面を示す。図２に示すように、ヒータコントロールパネル１０は基体部である筐体３１の意匠面１１側に電気回路基板３３が取りつけられ、壁３５を有するホルダ３２は電気回路基板３３の意匠面１１側に配置されるように筐体３１に取り付けられ、このホルダ３２の意匠面１１側に各プッシュボタン１４，１９ａ，１９ｆ，１９ｇ，１９ｄ及び表示器２１が取り付けられている。また、意匠面１１の各プッシュボタンの周囲には筐体３１に固定された意匠面パネル１１ａが取り付けられている。
【００１８】
電気回路基板３３の意匠面１１側にはプッシュボタン１４に対応する位置にプッシュスイッチ３４が設けられている。また、電気回路基板３３の意匠面１１側には他の各プッシュボタンに位置に対応する図示されていない各プッシュスイッチが取り付けられている。また、電気回路基板３３の意匠面１１側の各プッシュボタン１４，１９ｆ，１９ｇのインジケータ位置に対応する位置には、各プッシュボタン１４，１９ｆ，１９ｇのインジケータ照明用の発光ダイオードなどの光源３７が取り付けられている。他の各プッシュボタンのインジケータ位置についても上記と同様に電気回路基板３３の意匠面１１側におけるその対応する位置に光源３７が取り付けられている。
【００１９】
ホルダ３２は、電気回路基板３３から意匠面１１に向かって延びる複数の壁３５を有し、各壁３５は接続平板３２ａによって一体となるように接続され、筐体３１に固定されている。複数の壁３５は電気回路基板３３から意匠面１１に向かって延び、その意匠面１１側の先端はプッシュボタン１４，１９ａ，１９ｆ，１９ｇの意匠面１１側から電気回路基板３３に向かって延びたスカート１４’，１９ａ’，１９ｆ’，１９ｇ’の内側に嵌まり込んで各プッシュボタン１４，１９ａ，１９ｆ，１９ｇの意匠面１１から電気回路基板３３に向かう方向への移動をガイドしている。また、壁３５は各プッシュボタン１４，１９ａ，１９ｆ，１９ｇの各インジケータ照明用の光源３７の光が隣り合うプッシュボタンの内部や意匠面パネル１１ａとの隙間にもれないようにする遮光壁となるよう構成されている。以上の説明では、図２にその断面が現れている各プッシュボタン１４，１９ａ，１９ｆ，１９ｇについて説明したが、図２に表されていない他のプッシュボタン及びその周りの壁３５も同様の構造となっている。
【００２０】
表示器２１はその意匠面１１側に取り付けられた透光性の表面保護板２３と重ねあわされている。そして、表面保護板２３はホルダ３２によって支持されている。また、円環形フレーム１８は意匠面パネル１１ａに固定されている。
【００２１】
図３はヒータコントロールパネル１０の図１に示したＢ−Ｂの断面を示す。図２で説明した部位と同様の部位には同様の符号を付してその説明は省略する。図３に示すように、筐体３１の意匠面１１側に取り付けられた電気回路基板３３には、プッシュボタン１３，１４，１５それぞれのインジケータ照明用の発光ダイオード等の光源３７が配置されている。また、プッシュボタン１３，１５に対応する電気回路基板３３の意匠面１１側にはプッシュスイッチ３４が取り付けられ、各プッシュボタン１３，１５を押し込むと各プッシュスイッチ３４がオンとなるように構成されている。また、ホルダ３２の壁３５は電気回路基板３３から意匠面１１に向かって延びて、その各意匠面１１側は各プッシュボタン１３，１４，１５の意匠面１１から電気回路基板３３に向かって延びたスカート１３’，１４’，１５’の内側に嵌まり込み、各プッシュボタン１３，１４，１５が意匠面１１から電気回路基板３３への方向に沿ってスライドすることができるように保持している。更に各壁３５は各プッシュボタン１３，１４，１５のインジケータ照明用の光源３７の光が隣接する各プッシュボタン１３，１４，１５に漏れないように遮光壁となるよう構成されている。
【００２２】
プッシュボタン１３とプッシュボタン１４との間及びプッシュボタン１４とプッシュボタン１５との間には、プッシュボタン１４とその両側にあるプッシュボタン１３又はプッシュボタン１５を同時に押してしまうことが無いように、仕切りリブ２３ａが設けられている。
【００２３】
図４（ａ）は、ヒータコントロールパネル１０の意匠面１１の斜視図であり、図４（ｂ）はその表示器２１の表面保護板２３と仕切りリブ２３ａとを示す斜視図であり、図４（ｃ）は仕切りリブ２３ａの断面を示す図である。図４（ａ）及び（ｂ）に示すように、仕切りリブ２３ａは表面保護板２３からプッシュボタン１４とプッシュボタン１３との間及びプッシュボタン１４とプッシュボタン１５との間に延び、表面保護板２３と一体に樹脂成形されている。先に説明したように表面保護板２３は筐体３１に取り付けられたホルダ３２に取り付けられている。また、仕切りリブ２３ａの先端には取り付け脚２３ｂが一体に形成されて、その取り付け脚２３ｂ先端には取り付け爪２３ｃが一体成形されている。この取り付け脚２３ｂ及び取り付け爪２３ｃは意匠面パネル１１ａに嵌まり込み、意匠面パネル１１ａによって保持される。先にも述べたように表面保護板２３は筐体３１に取り付けられたホルダ３２に固定されており、意匠面パネル１１ａも筐体３１に固定されていることから、仕切りリブ２３ａの一端は表面保護板２３、ホルダ３２を介して筐体３１に固定され、他端は意匠面パネル１１ａを介して筐体３１に保持されるように構成されている。このため、仕切りリブ２３ａは筐体３１に対して相対的に固定されている。そして、仕切りリブ２３ａはその両側にあるプッシュボタン１３，１４あるいは１４，１５のように意匠面１１側から電気回路基板３３に向かう方向に沿って移動することは無く、仕切りリブ２３ａの両側に配置されている各プッシュボタン１３，１４，１５の移動を相互に仕切って、その動きを各々独立した動きとすることができる。
【００２４】
これによって、仕切りリブ２３ａは隣接するプッシュボタンを同時に押し下げることによる誤操作を防止することができるという効果を奏する。また、仕切りリブ２３ａは表面保護板２３と一体成形によって構成されていることから部品点数が少なくなり、簡便な構成によって各ブッシュボタンの動作を仕切り、誤操作を防止することができるという効果を奏する。また、小部品である仕切りリブ２３ａが表面保護板２３と一体成形されていることから取り扱いが簡便で、組立が容易となるという効果を奏する。更に一体成形することによって複数の仕切りリブ２３ａと表面保護板２３との相対位置のずれを減少させることができ、隣接する各プッシュボタン１３〜１５と仕切りリブ２３ａとの間の隙間のばらつきを低減することができるという効果を奏する。
【００２５】
表面保護板２３は乗員が表示器２１に表示された制御状況の数値等が見えるようにすることが必要となる。このため、表示器２１に重なる窓の部分は透光性であることが要求され、透明あるいは半透明の樹脂によって形成されている。一方、表示器２１に隣接して設けられているプッシュボタン１３〜１７は有色の意匠となっている場合が多い。このような場合には、ヒータコントロールパネル１０の全体意匠の統一性から各プッシュボタン１３，１４，１５の間に配置されている仕切りリブ２３ａも各プッシュボタン１３〜１５と同様の有色とすることが求められる。
【００２６】
このような場合には、図４（ｃ）に示すように、仕切りリブ２３ａの電気回路基板３３側に各プッシュボタン１３〜１５と同様の有色樹脂の有色層２３ｅを備え、意匠面１１側には透光性のある透明あるいは半透明などの透光層２３ｄを備えるように樹脂を２色成形して仕切りリブ２３ａを構成することが好適である。有色層の色は、各プッシュボタンに合わせて黒あるいは白等の色であってもよい。また、表面保護板２３の表示器２１用の窓
の部分の周辺、つまり表示器２１とプッシュボタン１３〜１７との間の窓枠部分も上記の仕切りリブ２３ａと同様に２色成形として意匠の統一性を向上させることができると共に、樹脂の２色成形によって隣接するプッシュボタンと同様の色調とすることができるので、別途塗装などの加飾手段を用いずに簡便に意匠の統一性を向上させることができるという効果を奏する。更に、仕切りリブ２３ａの意匠面１１側の面形状を隣接するプッシュボタン１３〜１５の意匠面１１側の面形状と同一とすることによって更に意匠の統一を図ることができるという効果を奏する。
【００２７】
本実施形態では、上記のように意匠上の統一を取りながら各プッシュボタンの移動を相互に仕切り、誤操作を抑制することができることから、ヒータコントロールパネル１０の中にヒータコントロールと関係ないハザードランプのオンオフスイッチ用のプッシュボタン１４を他のプッシュボタン１３，１５などと共に組み込むことができ、ヒータコントロールパネル１０全体をコンパクトにすることができるという効果を奏する。
【００２８】
以上、本実施形態では、仕切りリブ２３ａは表面保護板２３からプッシュボタン１４とプッシュボタン１３との間及びプッシュボタン１４とプッシュボタン１５との間に延びるように構成されているものとして説明したが、仕切りリブの配置はこれに限るものではなく、プッシュボタン１３とプッシュボタン１６との間及びプッシュボタン１５とプッシュボタン１７との間に延びるように構成して、プッシュボタン１３，１６及びプッシュボタン１５，１７の移動を仕切ることができるようにしても好適である。この場合には、それぞれの隣り合うプッシュボタンを同時に押し下げてしまう誤操作を更に抑制することができるという効果を奏する。また、一体成形によってこれら複数の仕切りリブを成形することができることから部品数の少ない簡便な構成によって誤操作を抑制することができるという効果を奏する。
【００２９】
以上の実施形態は、ヒータコントロールパネル１０に仕切りリブ２３ａを設ける場合について説明したが、本発明は、例えば、オーディオパネル、ナビゲーションパネル等他の操作パネルにも応用することができる。
【図面の簡単な説明】
【００３０】
【図１】本発明に係る実施形態において、ヒータコントロールパネル意匠面の平面を示す図である。
【図２】本発明に係る実施形態において、図１に示すＡ−Ａ断面を示す断面図である。
【図３】本発明に係る実施形態において、図１に示すＢ−Ｂ断面を示す断面図である。
【図４】本発明に係る実施形態において、ヒータコントロールパネル意匠面と表示器と表面保護板の斜視図及び、仕切りリブの断面を示す図である。
【図５】従来技術の多連プッシュスイッチを示す図である。
【符号の説明】
【００３１】
１０  ヒータコントロールパネル、１１  意匠面、１１ａ  意匠面パネル、１３〜１７  プッシュボタン、１３’〜１５’  スカート、１９ａ〜１９ｇ，２０ａ，２０ｂ，１２２  プッシュボタン、１８  フレーム、２０ｃ  インジケータ部、２１  表示器、２３  表面保護板、２３ａ  仕切りリブ、２３ｂ  取り付け脚、２３ｃ  取り付け爪、２３ｄ  透光層、２３ｅ  有色層、３１  筐体、３２，１２１  ホルダ、３２ａ  接続平板、３３  電気回路基板、３４  プッシュスイッチ、３５，１２６，１２７  壁、３７  光源、１２３  ヒンジ、１２４  回転部材。
【図１】
2008132916.tif 000003
【図２】
2008132916.tif 000004
【図３】
2008132916.tif 000005
【図４】
2008132916.tif 000006
【図５】
2008132916.tif 000007